(57)【要約】【課題】放送データの複製及び送受信を一定の条件のもと制限しつつ、記録されていない欠落した放送データを短時間で取得することが可能な記録再生装置、記録再生システム及び記録再生方法を提供すること。【解決手段】放送番組の放送時間帯情報を取得する放送時間帯情報取得部１１０と、放送番組が記憶部に記録されている時間帯を検出する記録時間帯検出部１２２と、取得された放送時間帯情報と検出された記録時間帯に基づいて、放送番組が記憶部に記録されていない欠落時間帯を検出する欠落時間帯検出部１２２と、検出された欠落時間帯が発生した原因に関する情報を取得する原因情報取得部１２３と、取得された原因情報が所定の条件を満たすか否かを判定する原因判定部１２３と、原因情報が所定の条件を満たすと判定されたとき、欠落時間帯の放送データを、ネットワークを介して外部の記憶媒体から受信する欠落時間帯放送信号受信部１２４とを有する。【選択図】図２
2010154275.tif 000002
【特許請求の範囲】
【請求項１】
放送信号を受信する受信部と、
受信した前記放送信号を記録する記憶部と、
前記記憶部に記録された放送番組の放送時間帯情報を取得する放送時間帯情報取得部と、
前記放送番組が前記記憶部に記録されている時間帯を検出する記録時間帯検出部と、
前記取得された放送時間帯情報と前記検出された記録時間帯に基づいて、前記放送番組が前記記憶部に記録されていない欠落時間帯を検出する欠落時間帯検出部と、
前記検出された欠落時間帯が発生した原因に関する情報を取得する原因情報取得部と、
前記取得された原因情報が所定の条件を満たすか否かを判定する原因判定部と、
前記原因情報が所定の条件を満たすと判定されたとき、前記欠落時間帯の放送データを、ネットワークを介して外部の記憶媒体から受信する欠落時間帯放送信号受信部と、
を有する、記録再生装置。
【請求項２】
放送信号を受信する受信部と、
受信した前記放送信号を記録する記憶部と、
前記記憶部に記録された放送番組の放送時間帯情報を取得する放送時間帯情報取得部と、
前記放送番組が前記記憶部に記録されている時間帯を検出する記録時間帯検出部と、
前記取得された放送時間帯情報と前記検出された記録時間帯に基づいて、前記放送番組が前記記憶部に記録されていない欠落時間帯を検出する欠落時間帯検出部と、
前記検出された欠落時間帯が発生した原因に関する情報を取得する原因情報取得部と、
前記取得された原因情報が所定の条件を満たすか否かを判定する原因判定部と、
前記原因情報が所定の条件を満たすと判定されたとき、前記欠落時間帯の放送データを、ネットワークを介して外部の記憶媒体から受信する欠落時間帯放送信号受信部と、
を有する記録再生装置と、
前記欠落時間帯の放送データを有する前記外部の記憶媒体を検索し、検索された前記外部の記憶媒体に関する情報を前記記録再生装置に送信する補完管理サーバと、
を有する、記録再生システム。
【請求項３】
放送信号を受信するステップと、
受信した前記放送信号を記録するステップと、
前記記憶部に記録された放送番組の放送時間帯情報を取得するステップと、
前記放送番組が前記記憶部に記録されている時間帯を検出するステップと、
前記取得された放送時間帯情報と前記検出された記録時間帯に基づいて、前記放送番組が前記記憶部に記録されていない欠落時間帯を検出するステップと、
前記検出された欠落時間帯が発生した原因に関する情報を取得するステップと、
前記取得された原因情報が所定の条件を満たすか否かを判定するステップと、
前記原因情報が所定の条件を満たすと判定されたとき、前記欠落時間帯の放送データを、ネットワークを介して外部の記憶媒体から受信するステップと、
を有する、記録再生方法。
【発明の詳細な説明】
【技術分野】
【０００１】
本発明は、記録再生装置、記録再生システム及び記録再生方法に関する。
【背景技術】
【０００２】
テレビ番組、ラジオ番組等の放送は、決められた放送時間帯に１つの放送局から１つの放送番組が放送される。視聴者は、任意の放送番組を放送時間帯に視聴できない場合、レコーダー（記録再生装置）を用いて、光ディスクやハードディスクなどの記憶媒体に放送番組のデータを記録して、後から記録した放送番組を視聴する。
【０００３】
例えば、特許文献１〜５では、放送番組の記録処理を予約しておいて、放送データを記録する技術に関し、予約したはずの記録処理が失敗したときにデータを取得する技術が開示されている。
【０００４】
【特許文献１】特許第３８３０７１３号公報
【特許文献２】特開２００１−３３３３５７号公報
【特許文献３】特開２００２−３４４８２４号公報
【特許文献４】特開２００３−３３３４８１号公報
【特許文献５】特開２００７−１０４４２０号公報
【発明の開示】
【発明が解決しようとする課題】
【０００５】
しかし、特許文献１〜５等の従来技術では、１つの放送番組のデータ全体を再度記録する必要があった。そのため、全てのデータを取得するまで時間がかかるという問題があった。また、近年、放送信号がデジタル化していることによって放送データの複製、再頒布が容易になっている。そのため、放送データの複製について制限を設ける必要がある。
【０００６】
そこで、本発明は、上記問題に鑑みてなされたものであり、本発明の目的とするところは、放送データの複製及び送受信を一定の条件のもと制限しつつ、記録されていない欠落した放送データを短時間で取得することが可能な、新規かつ改良された記録再生装置、記録再生システム及び記録再生方法を提供することにある。
【課題を解決するための手段】
【０００７】
上記課題を解決するために、本発明のある観点によれば、放送信号を受信する受信部と、受信した放送信号を記録する記憶部と、記憶部に記録された放送番組の放送時間帯情報を取得する放送時間帯情報取得部と、放送番組が記憶部に記録されている時間帯を検出する記録時間帯検出部と、取得された放送時間帯情報と検出された記録時間帯に基づいて、放送番組が記憶部に記録されていない欠落時間帯を検出する欠落時間帯検出部と、検出された欠落時間帯が発生した原因に関する情報を取得する原因情報取得部と、取得された原因情報が所定の条件を満たすか否かを判定する原因判定部と、原因情報が所定の条件を満たすと判定されたとき、欠落時間帯の放送データを、ネットワークを介して外部の記憶媒体から受信する欠落時間帯放送信号受信部とを有する記録再生装置が提供される。
【０００８】
この構成により、記憶部に記録された放送番組の放送時間帯情報が取得され、放送番組が記憶部に記録されている時間帯が検出され、それらの取得された放送時間帯情報と検出された記録時間帯に基づいて、放送番組が記憶部に記録されていない欠落時間帯が検出される。また、検出された欠落時間帯が発生した原因に関する情報が取得され、取得された原因情報が所定の条件を満たすか否かが判定される。原因情報が所定の条件を満たすと判定されたとき、欠落時間帯の放送データが、ネットワークを介して外部の記憶媒体から受信される。
【０００９】
また、上記課題を解決するために、本発明の別の観点によれば、放送信号を受信する受信部と、受信した放送信号を記録する記憶部と、記憶部に記録された放送番組の放送時間帯情報を取得する放送時間帯情報取得部と、放送番組が記憶部に記録されている時間帯を検出する記録時間帯検出部と、取得された放送時間帯情報と検出された記録時間帯に基づいて、放送番組が記憶部に記録されていない欠落時間帯を検出する欠落時間帯検出部と、検出された欠落時間帯が発生した原因に関する情報を取得する原因情報取得部と、取得された原因情報が所定の条件を満たすか否かを判定する原因判定部と、原因情報が所定の条件を満たすと判定されたとき、欠落時間帯の放送データを、ネットワークを介して外部の記憶媒体から受信する欠落時間帯放送信号受信部とを有する記録再生装置と、欠落時間帯の放送データを有する外部の記憶媒体を検索し、検索された外部の記憶媒体に関する情報を記録再生装置に送信する補完管理サーバとを有する記録再生システムが提供される。
【００１０】
この構成により、補完管理サーバによって、欠落時間帯の放送データを有する外部の記憶媒体が検索され、検索された外部の記憶媒体に関する情報が記録再生装置に送信される。そして、記録再生装置は、欠落時間帯の放送データを、ネットワークを介して外部の記憶媒体から受信できる。
【００１１】
また、上記課題を解決するために、本発明の別の観点によれば、放送信号を受信するステップと、受信した放送信号を記録するステップと、記憶部に記録された放送番組の放送時間帯情報を取得するステップと、放送番組が記憶部に記録されている時間帯を検出するステップと、取得された放送時間帯情報と検出された記録時間帯に基づいて、放送番組が記憶部に記録されていない欠落時間帯を検出するステップと、検出された欠落時間帯が発生した原因に関する情報を取得するステップと、取得された原因情報が所定の条件を満たすか否かを判定するステップと、原因情報が所定の条件を満たすと判定されたとき、欠落時間帯の放送データを、ネットワークを介して外部の記憶媒体から受信するステップとを有する記録再生方法が提供される。
【発明の効果】
【００１２】
本発明によれば、放送データの複製及び送受信を一定の条件のもと制限しつつ、記録されていない欠落した放送データを短時間で取得することができる。
【発明を実施するための最良の形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１４】
（第１の実施形態の構成）
まず、本発明の第１の実施形態に係る記録再生システムについて説明する。図１は、本実施形態に係る記録再生システムを示す説明図である。
【００１５】
本実施形態では、記録再生装置の一例であるレコーダー１００がネットワークに接続されている。また、本実施形態の記録再生システムは、各レコーダー１００のＩＤを管理するＩＤ管理サーバ２００や、ＩＤ管理サーバ２００を更に管理する管理サーバ３００などからなる。
【００１６】
本実施形態の記録再生システムは、あるレコーダー１００において、ある放送番組の放送データを全て記録することができなかったとき、その欠落した部分のデータを他のレコーダーから取得することができる。その際、レコーダー１００において放送データを記録できなかった原因を取得して、その原因が所定の条件を満たす場合にのみ、欠落した部分のデータを取得できるとする。これにより、放送データの複製及び送受信を一定の条件のもと制限することができる。
【００１７】
次に、本実施形態に係るレコーダー１００の構成について説明する。図２は、本実施形態に係るレコーダー１００の構成を示す説明図である。
【００１８】
レコーダー１００は、例えば、ＣＰＵ１０２と、記憶部１０４と、メモリ１０６と、入出力Ｉ／Ｆ１０８と、ネットワーク接続部１１０と、操作部１１２と、記録処理部１２１と、記録情報解析部１２２と、補完情報管理部１２３と、補完情報検索部１２４と、認証部１２５と、ＩＤ検索部１２６などからなる。
【００１９】
ＣＰＵ（Central  Processing  Unit）１０２は、プログラムによって演算処理装置及び制御装置として機能し、レコーダー１００内に設けられた各構成要素の処理を制御することができる。
【００２０】
記憶部１０４は、例えば、ＤＶＤ、ブルーレイディスク等の光ディスク、又はハードディスクであり、テレビ放送の録画データ、ラジオ放送の録音データを記録する。また、記憶部１０４は、記録した放送番組の放送時間帯情報と、実際に記録が完了した記憶部１０４に記録されている放送番組の記録時間帯などの補完情報データを記録する。例えば、図３は、放送番組の放送時間帯と、記録された放送番組の記録時間帯との関係を示す説明図である。
【００２１】
ある放送局は、ある放送番組を決められた放送時間帯に放送する。図３に示す例では、チャンネルＡＡＡｃｈの放送局が、ＡＡＡニュースを２１：００〜２３：０５の放送時間帯で放送した。一方、あるレコーダー１００は、何らかの原因で放送時間帯全ての放送データを記録することができず、一部の放送データしか記録できない場合がある。図３に示す例では、レコーダー１００は、２２：００〜２３：００の放送データのみを記録している。その結果、レコーダー１００が記録したある放送番組の放送データには、２１：００〜２２：００の前半未記録部分と、２３：００〜２３：０５の後半未記録部分がある。
【００２２】
メモリ１０６は、例えば、ＲＡＭ（Random  Access  Memory）、ＲＯＭ（Read  Only  Memory）、キャッシュメモリなどの記憶部で構成されている。メモリ１０６は、ＣＰＵ１０２の処理に関するデータ、ＣＰＵ１０２の動作プログラムなどを一時的に記憶する機能を有する。
【００２３】
入出力Ｉ／Ｆ１０８は、テレビ放送やラジオ放送などの放送データをチューナー（図示せず。）などを介して受ける。入出力Ｉ／Ｆ１０８は、受信部の一例である。また、入主力Ｉ／Ｆ１０８は、液晶ディスプレイ、プラズマディスプレイなどの表示装置やスピーカーなどの音声出力装置と接続して、表示装置に映像データを表示したり、スピーカーから音声信号を出力したりする。
【００２４】
ネットワーク接続部１１０は、ネットワーク１０（例えばインターネットなど）と接続されており、他のレコーダー１００から欠落した部分の放送データを受信する。また、ネットワーク接続部１１０は、放送時間帯情報取得部の一例であり、放送データが記憶部１０４に記録された放送番組の放送時間帯情報を取得する。
【００２５】
操作部１１２は、ユーザーからの操作を受け付けて、操作信号を生成し、ＣＰＵ１０２に操作信号を送る。操作部１１２は、例えば、ボタンなどであり、再生操作信号や停止操作信号などを生成する。
【００２６】
記録処理部１２１は、ユーザーによって設定された予約時間に基づいて、設定された放送番組を受信し放送データを記憶部１０４に記録する。
【００２７】
記録情報解析部１２２は、記録時間帯検出部の一例であり、記憶部１０４に記録されている放送データの時間帯を検出する。また、記録情報解析部１２２は、欠落時間帯検出部の一例であり、取得された放送時間帯情報と、検出された記録時間帯に基づいて、放送番組が記憶部１０４に記録されていない欠落時間帯を検出する。記録時間帯や欠落時間帯は、時刻情報で管理してもよいが、正確な時刻管理を全てのレコーダーが行っている必要がある。一方、放送局が放送する放送データが複数のチャプターに分けて放送している場合など、１番組中に複数の区切りを設けて放送する場合は、記録情報解析部１２２は、その区切りを検出するとよい。
【００２８】
チャプターの途中から記録が開始されている場合や、チャプターの途中で記録が終了している場合は、そのチャプターを欠落しているデータ（欠落時間帯）として扱う。そして、そのチャプターのデータを全て取得することによって、欠落した部分のデータを確実に取得することができる。
【００２９】
補完情報管理部１２３は、原因情報取得部の一例であり、検出された欠落時間帯が発生した原因に関する情報を取得する。また、補完情報管理部１２３は、原因判定部の一例であり、取得された原因情報が所定の条件を満たすか否かを判定する。欠落時間帯が発生する原因には、例えば、電源の遮断による記録の中断、記録中における記憶媒体等の部品の故障などがある。補完情報管理部１２３は、これらの原因の内容を検出し、発生した時間や原因の内容をメモリ１０６等の記憶媒体に記録する。また、判定に用いられる所定の条件とは、例えば、故障の種類や中断の種類などである。
【００３０】
補完情報検索部１２４は、まず、原因情報が所定の条件を満たすと判定されたとき、欠落時間帯の放送データを有する記憶媒体を検索し、該当する記憶媒体が発見された時はその記憶媒体に対してダウンロード要求を送信する。また、補完情報検索部１２４は、欠落時間帯の放送データを、ネットワークを介して外部の記憶媒体から受信する。補完情報検索部１２４は、欠落時間帯放送信号受信部の一例である。このように、所定の条件を満たすかを判定して、条件を満たす場合にのみ放送データをダウンロードすることができるようにすることで、放送データの複製及び送受信を一定の条件のもと制限しつつ、記録されていない欠落した放送データを取得できる。また、欠落時間帯の放送データのみを取得するため、ある放送番組の全データを取得する場合に比べて、短時間で必要なデータを効率良く取得することができる。
【００３１】
認証部１２５は、外部の記憶媒体から欠落部分のデータを受信する際、データ取得の権限がある旨の認証を処理する。
【００３２】
ＩＤ検索部１２６は、欠落部分のデータが記録される可能性がある外部の記憶媒体のＩＤを、ネットワークを介して予め検索して取得しておく。そして、ＩＤ検索部１２６は、欠落部分が発生したとき、取得されたＩＤに基づいて外部の記憶媒体を検索するため、迅速に外部の記憶媒体を発見することができる。
【００３３】
なお、記録再生装置１００における一連の処理は、ハードウェアで処理してもよいし、コンピュータ上のプログラムによるソフトウェア処理で実現してもよい。
【００３４】
（第１の実施形態の動作）
次に、図４〜図６を参照して、本実施形態に係る記録再生システムの動作について説明する。図４は、本実施形態に係るレコーダー１００の動作を示すフローチャートである。図４は、放送番組を記録する際の動作について示す。
【００３５】
まず、例えばユーザーによる予約動作や録画開始動作などに基づいて、レコーダー１００は、記憶部１０４に放送番組の放送データを記録する（ステップＳ１０１）。このとき、記録する放送番組の正規の放送時間帯も取得する。
【００３６】
そして、放送データの記録中、又は放送データの記録後において、記憶部１０４に記録された放送番組の放送データの記録時間帯は、放送時間帯に対して欠落があるか否かを判定する（ステップＳ１０２）。例えば、正規の放送時間帯に関する情報と、実際に記録された放送データの記録時間帯とを対比して、記憶部１０４に目的とする放送番組の放送データが全て記録されたか否かを判定する。
【００３７】
ステップＳ１０２の判定結果において、欠落があると判定されたときは、欠落部分の時間帯や、欠落が発生した原因に関する情報を欠落情報として、メモリ１０６等の記憶媒体に記録する（ステップＳ１０３）。一方、ステップＳ１０２の判定結果において、欠落がないと判定されたときは、放送番組の放送データが全て記録されている場合であり、一連の動作を終了する。
【００３８】
また、図５を参照して、欠落した部分のデータを取得する際の動作について説明する。図５は、本実施形態に係るレコーダー１００の動作をフローチャートである。
【００３９】
まず、レコーダー１００は、記憶部１０４に記録された放送番組を検索する（ステップＳ１１１）。そして、記憶部１０４に記録された放送番組の放送データに関連付けされた欠落情報があるか否かを判定する（ステップＳ１１２）。欠落情報がない場合は、放送番組の放送データが全て記録されている場合であり、一連の動作を終了する。
【００４０】
一方、ステップＳ１１２において欠落情報があると判定されたときは、当該欠落情報を読み出す（ステップＳ１１３）。これにより、放送番組の全放送データのうち、どの時間帯が記憶部１０４に記録されていないか知ることができ、更にどのような原因で放送データが欠落したかを知ることができる。
【００４１】
また、外部の記憶媒体、例えば他のレコーダー１００等の外部の記憶媒体のＩＤを読み出す（ステップＳ１１４）。このＩＤは、ＩＤ管理サーバ２００にアクセスして取得してもよいし、レコーダー１００がネットワークを検索して取得してもよい。これにより、欠落部分のデータが記録される可能性がある外部の記憶媒体のＩＤに基づいて、外部の記憶媒体に対して録画情報や欠落部分データの取得要求をすることができる。
【００４２】
そして、読み出した欠落情報と他のユーザー端末のＩＤに基づいて、他のレコーダー１００等のユーザー端末の録画情報を要求し、録画情報を受信する（ステップＳ１１５）。録画情報には、放送番組と、放送時間帯と、記憶媒体に記録されている記録時間帯などの情報が含まれる。
【００４３】
そして、受信した録画情報を参照して、記憶部１０４に記録されていない欠落部分データが、外部のレコーダー１００等の記憶媒体に記録されているか否かを判定する（ステップＳ１１６）。外部のいずれの記憶媒体にも欠落部分データが記録されていない場合は、欠落部分データを取得できずに一連の動作が完了する。
【００４４】
一方、欠落した放送番組の放送データを全て（１００％）記録している外部の記憶媒体が発見されたとき、又は１００％記録されていなくても欠落部分データは記録している外部の記憶媒体が発見されたときには、欠落部分データを取得できるという認証処理をする（ステップＳ１１７）。また、外部の記憶媒体に対して欠落部分データの取得要求を送信する（ステップＳ１１８）。
【００４５】
その後、外部の記録媒体がデータの取得に関して認証し、取得要求に対して応答したとき、外部の記憶媒体から欠落部分データを受信する（ステップＳ１１９）。また、受信した欠落部分データを記憶部１０４に記録する（ステップＳ１２０）。その結果、記憶部１０４には、全ての放送データが揃うため、ユーザーは放送番組をすべて視聴することが可能となる。
【００４６】
次に、欠落部分データの取得要求を受ける側のレコーダー１００等の外部の記憶媒体の動作について説明する。図６は、外部の記憶媒体の動作を示すフローチャートである。
【００４７】
まず、図５で示したステップＳ１１５に対応して、レコーダー１００から録画情報の取得要求を受ける（ステップＳ１３１）。録画情報取得要求には、レコーダー１００の欠落情報が含まれており、どの時間帯のデータが欠落しているかを知ることができる。そして、外部の記憶媒体は、権限のあるユーザーからの取得要求であるか否かの認証処理を行う（ステップＳ１３２）。
【００４８】
また、欠落したデータに該当する放送データが外部の記憶媒体に記録されているか否かを判定する（ステップＳ１３３）。レコーダー１００の権限があると判断し、欠落したデータに該当する放送データが記録されている場合には、外部の記憶媒体は、自己の録画情報をレコーダー１００に送信する（ステップＳ１３４）。欠落したデータに該当する放送データが外部の記憶媒体に記録されていない場合には、一連の動作を終了する。
【００４９】
次に、図５で示したステップＳ１１８の欠落部分データの取得要求に対応して、外部の記憶媒体が欠落部分データの取得要求を受信する（ステップＳ１３５）。そして、外部の記憶媒体は、権限のあるユーザーからの取得要求であるか否かの認証処理を行う（ステップＳ１３６）。
【００５０】
レコーダー１００の権限があると判断したとき、外部の記憶媒体は、自己が記録している放送データから要求された部分のデータを切り出し処理する（ステップＳ１３７）。このとき、例えば、時刻単位で切り出してもよいし、チャプター単位で切り出してもよい。また、外部の記憶媒体は、切り出し処理したデータをパケット化処理する（ステップＳ１３８）。パケット化することによって、通信回線の占有を介することができ、レコーダー１００の処理の負荷を低減することができる。
【００５１】
そして、欠落部分に該当するデータをレコーダー１００に送信する（ステップＳ１３９）。これにより、欠落部分データの取得要求を受ける側のレコーダー１００等の外部の記憶媒体は、欠落部分データに該当する自己がすでに記録しているデータをレコーダー１００に送信することができる。
【００５２】
（第２の実施形態）
次に、本発明の第２の実施形態に係る記録再生システムについて説明する。図７は、本実施形態に係る記録再生システムの構成を示す説明図である。本実施形態では、更に補完検索サーバ４００を有する。
【００５３】
上述した第１の実施形態では、レコーダー１００自身が多数ある外部の記憶媒体に対して、録画情報の取得要求をして、録画情報を取得する場合について説明した。この方法では、録画情報の取得要求をしてから、録画情報が外部の記憶媒体から返送してくるまで、時間がかかる可能性がある。また、レコーダー１００が処理しなければならない情報量が非常に多くなる可能性がある。
【００５４】
そこで、本実施形態では、補完検索サーバ４００がレコーダー１００に代行して欠落部分データに該当するデータを有する外部の記憶媒体を検索する。そして、レコーダー１００は、補完検索サーバ４００から最適な外部の記憶媒体に関する情報を取得でき、データ処理量も低減するため迅速なデータ処理が可能となる。
【００５５】
次に、本実施形態に係るレコーダー１００の欠落部分データを取得する動作について説明する。図８は、本実施形態に係るレコーダー１００の動作をフローチャートである。図８は、欠落した部分のデータを取得する際の動作について示す。
【００５６】
まず、レコーダー１００は、記憶部１０４に記録された放送番組を検索する（ステップＳ２０１）。そして、記憶部１０４に記録された放送番組の放送データに関連付けされた欠落情報があるか否かを判定する（ステップＳ２０２）。欠落情報がない場合は、放送番組の放送データが全て記録されている場合であり、一連の動作を終了する。
【００５７】
一方、ステップＳ２０２において欠落情報があると判定されたときは、当該欠落情報を読み出す（ステップＳ２０３）。これにより、放送番組の全放送データのうち、どの時間帯が記憶部１０４に記録されていないか知ることができ、更にどのような原因で放送データが欠落したかを知ることができる。
【００５８】
そして、レコーダー１００は、欠落情報を補完検索サーバ４００に送信する（ステップＳ２０４）。そして、補完検索サーバ４００が、欠落部分データに該当する放送データが他の外部の記憶媒体で記録されているか否かを判定する（ステップＳ２０５）。外部のいずれの記憶媒体にも欠落部分データが記録されていない場合は、欠落部分データを取得できずに一連の動作が完了する。
【００５９】
一方、欠落した放送番組の放送データを全て（１００％）記録している外部の記憶媒体が発見されたとき、又は１００％記録されていなくても欠落部分データは記録している外部の記憶媒体が発見されたときには、補完検索サーバ４００からその旨の通知を受ける。そして、欠落部分データを取得できるという認証処理をして（ステップＳ２０６）、外部の記憶媒体のＩＤを取得する（ステップＳ２０７）。その後、レコーダー１００は、外部の記憶媒体に対して欠落部分データの取得要求を送信する（ステップＳ２０８）。
【００６０】
外部の記録媒体がデータの取得に関して認証し、取得要求に対して応答したとき、外部の記憶媒体から欠落部分データを受信する（ステップＳ２０９）。また、受信した欠落部分データを記憶部１０４に記録する（ステップＳ２１０）。
【００６１】
更に、補完検索サーバ４００は、サービス提供業者によって運営されるような場合、サービスを享受するレコーダー１００に対して、放送番組とは異なる広告を送信してもよい。例えば、レコーダー１００は、補完検索サーバ４００に欠落部分データの受信完了を通知する（ステップＳ２１１）。それに対応して、補完検索サーバ４００が広告データを送信して、レコーダー１００が広告データを受信する（ステップＳ２１２）。そして、レコーダー１００は、受信した広告データを記憶部１０４に記録する（ステップＳ２１３）。
【００６２】
その結果、記憶部１０４には、全ての放送データを迅速に揃えることができるため、ユーザーは放送番組をすべて視聴することが可能となる。また、補完検索サーバ４００を利用することによって、個々のレコーダー１００が録画情報を取得する場合に比べて迅速な処理が可能となる。補完検索サーバ４００を運営管理するサービス提供業者は、放送番組と異なる独自の広告データをユーザーに提供してもよい。上述した記録再生システムを用いると、放送番組中のＣＭをカットしてレコーダーに欠落部分データを送信することもできる。その一方で、独自のＣＭを挿入することもできるため、放送局の広告料より安価な広告料でユーザーに対してＣＭを提示することも考え得る。
【００６３】
次に、本実施形態に係る補完検索サーバ４００の動作について説明する。図９は、本実施形態に係る補完検索サーバ４００の動作を示すフローチャートである。図９は、補完検索サーバ４００が各端末から録画情報を取得する動作を示す。
【００６４】
まず、補完検索サーバ４００は、各端末（記憶媒体）のＩＤを読み出す（ステップＳ２２１）。このＩＤは、ＩＤ管理サーバ２００にアクセスして取得してもよいし、補完検索サーバ４００がネットワークを検索して取得してもよい。これにより、欠落部分のデータが記録される可能性がある外部の記憶媒体のＩＤに基づいて、外部の記憶媒体に対して録画情報や欠落部分データの取得要求をすることができる。
【００６５】
次に、補完検索サーバ４００は、各端末のＩＤに基づいて、各端末の録画情報を要求し、録画情報を受信する（ステップＳ２２２）。録画情報には、放送番組と、放送時間帯と、記憶媒体に記録されている記録時間帯などの情報が含まれる。
【００６６】
そして、補完検索サーバ４００は、端末ごとの録画情報を記憶部に記録しておく（ステップＳ２２３）。これにより、レコーダー１００から欠落情報の取得要求に対応して、レコーダー１００に録画情報を提供することができる。
【００６７】
次に、図１０を参照して、補完検索サーバ４００がレコーダー１００に録画情報を提供する動作を説明する。図１０は、本実施形態に係る補完検索サーバ４００の動作を示すフローチャートである。
【００６８】
まず、補完検索サーバ４００は、レコーダー１００から録画情報の取得要求を受ける（ステップＳ２３１）。録画情報取得要求には、レコーダー１００の欠落情報が含まれており、どの時間帯のデータが欠落しているかを知ることができる。そして、補完検索サーバ４００は、欠落部分データに該当するデータが記録されているという録画情報があるか否かを判定する（ステップＳ２３２）。
【００６９】
録画情報がある場合は、補完検索サーバ４００は、レコーダー１００に録画情報と、どの記憶媒体に欠落部分データに該当するデータが記録されているか分かるように記憶媒体のＩＤを送信する（ステップＳ２３３）。その後、レコーダー１００から欠落部分データの記録が完了したという通知を受信したとき（ステップＳ２３４）、補完検索サーバ４００は、そのレコーダー１００に広告データを送信する（ステップＳ２３５）。
【００７０】
一方、補完検索サーバ４００に、欠落部分データに該当するデータが記録されているという録画情報がなかったときは、レコーダー１００に対して録画情報なしの旨を通知する（ステップＳ２３６）。
【００７１】
上述した通り、本発明の第１及び第２の実施形態によれば、番組予約において予約処理の不具合などによって正常に放送番組の放送データを部分的にしか記録できなかったとき、放送データの複製及び送受信を一定の条件のもと制限しつつ、記録されていない欠落した放送データを短時間で取得することができる。
【００７２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００７３】
【図１】本発明の第１の実施形態に係る記録再生システムを示す説明図である。
【図２】同実施形態に係るレコーダーの構成を示す説明図である。
【図３】放送番組の放送時間帯と、記録された放送番組の記録時間帯との関係を示す説明図である。
【図４】同実施形態に係るレコーダーの動作を示すフローチャートである。
【図５】同実施形態に係るレコーダーの動作をフローチャートである。
【図６】外部の記憶媒体の動作を示すフローチャートである。
【図７】本発明の第２の実施形態に係る記録再生システムの構成を示す説明図である。
【図８】同実施形態に係るレコーダーの動作をフローチャートである。
【図９】同実施形態に係る補完検索サーバの動作を示すフローチャートである。
【図１０】同実施形態に係る補完検索サーバの動作を示すフローチャートである。
【符号の説明】
【００７４】
１００      レコーダー
１０２      ＣＰＵ
１０４      記憶部
１０６      メモリ
１０８      入出力Ｉ／Ｆ
１１０      ネットワーク接続部
１１２      操作部
１２１      記録処理部
１２２      記録情報解析部
１２３      補完情報管理部
１２４      補完情報検索部
１２５      認証部
１２６      ＩＤ検索部
２００      ＩＤ管理サーバ
３００      管理サーバ
４００      補完検索サーバ
【図１】
2010154275.tif 000003
【図２】
2010154275.tif 000004
【図３】
2010154275.tif 000005
【図４】
2010154275.tif 000006
【図５】
2010154275.tif 000007
【図６】
2010154275.tif 000008
【図７】
2010154275.tif 000009
【図８】
2010154275.tif 000010
【図９】
2010154275.tif 000011
【図１０】
2010154275.tif 000012